(57)【要約】【課題】カラーセンサ等の検知装置を用いて外部照明環境を検知しなくても、リモコン装置により遠隔制御される照明装置の照明色や光量に対応して、視聴者にとって見やすい映像を表示する映像表示装置を提供する。【解決手段】映像表示装置１の映像信号処理部１２が、リモコン装置３が出力した“電球色”調色制御信号を受信すると、映像信号補正部１２ａは、映像信号補正用テーブル１０１を参照して、“電球色”調色制御信号に対応する映像信号補正値を特定する。映像信号補正部１２ａは、特定した映像信号補正値に基づき、映像信号処理部１２に入力される映像信号に対して映像信号補正処理を実行する。【選択図】図２
2011150129.tif 000002
【特許請求の範囲】
【請求項１】
入力される映像信号に対して、映像信号補正処理を実行する映像信号補正部と、
調色機能を備えた照明装置に送信されるリモコン装置からの調色制御信号を受信する受信部と、
当該調色制御信号と入力される前記映像信号に対して映像信号補正処理を実行する際に参照される映像信号補正値とを対応付けて記録する映像信号補正用テーブルを備え、
前記映像信号補正部は、前記映像信号補正用テーブルを参照して前記受信部が受信した調色制御信号に対応する映像信号補正値を特定し、当該特定した映像信号補正値に基づき入力される映像信号に対して映像信号補正処理を実行することを特徴とする映像表示装置。
【請求項２】
請求項１に記載の映像表示装置において、前記映像表示装置は、液晶パネルと、当該液晶パネルを照明するバックライトと、
バックライト照明光の色相及び明るさを可変制御するバックライト制御部と、
調色制御信号及び調光制御信号とバックライト照明光の色相及び明るさを補正する際に参照されるバックライト補正値とを対応付けて記録するバックライト補正用テーブルを備え、
前記受信部は、調色機能及び調光機能を備えた照明装置に送信されるリモコン装置からの調色制御信号及び調光制御信号を受信し、
前記バックライト制御部は、前記バックライト補正用テーブルを参照して前記受信部が受信した調色制御信号及び調光制御信号に対応するバックライト補正値を特定し、当該特定したバックライト補正値に基づきバックライト照明光の色相及び明るさを可変制御することを特徴とする映像表示装置。
【請求項３】
請求項１に記載の映像表示装置において、前記映像表示装置は、更に、外部装置が提供する映像信号補正用テーブルを取得するテーブル取得部と、前記映像表示装置に既に記録されている映像信号補正用テーブルを前記テーブル取得部が取得した映像信号補正用テーブルに更新するテーブル更新部を備えたことを特徴とする映像表示装置。
【請求項４】
請求項２に記載の映像表示装置において、前記映像表示装置は、更に、外部装置が提供するバックライト補正用テーブルを取得するテーブル取得部と、前記映像表示装置に既に記録されているバックライト補正用テーブルを前記テーブル取得部が取得したバックライト補正用テーブルに更新するテーブル更新部を備えたことを特徴とする映像表示装置。
【発明の詳細な説明】
【技術分野】
【０００１】
本発明は、映像表示装置に係り、特に、照明装置の照明色、光量に対応して映像信号補正処理等を行う映像表示装置に関する。
【背景技術】
【０００２】
映像の視聴環境に応じて、視聴者にとって見やすい映像を表示する映像表示装置が様々提案されている。例えば、バックライトを備えた液晶表示装置において、周囲の明るさを検知し、検知した明るさに基づいてバックライトの輝度調整を自動的に行う液晶表示装置が提案されている。
【０００３】
また、周囲の明るさだけでなく、例えば、周囲の光の色温度、色相等を検知して、検知した色温度等に基づいて、表示映像の色温度等の調整を自動的に行う映像表示装置が提案されている。なお、色相は、色合いとも言う。
特許文献１には、映像表示機器に設けられたカラーセンサが機器外部の照明環境を検知し、検知した照明環境に該当する映像信号補正データに基づき、映像信号に対して補正処理を実行する映像表示機器が開示されている。
【０００４】
ところで、現在では、ＬＥＤ電球を調色する機能及び／又は調光する機能を備えた照明装置が市場に登場している。この照明装置は、通常、リモコン装置により遠隔制御され、ユーザは、このリモコン装置を利用して電源オン、オフ指示操作や、調色、調光指示操作を行う。
【先行技術文献】
【特許文献】
【０００５】
【特許文献１】特開平８−６５７０１号公報
【発明の概要】
【発明が解決しようとする課題】
【０００６】
特許文献１に開示の映像表示機器のように、カラーセンサを利用して外部の照明環境を検知する場合、映像表示機器にカラーセンサを設ける必要がある。その結果、回路構成が複雑になり、製品価格が上昇する。
また、カラーセンサの設置位置によっては、影がカラーセンサを覆ったりするため、精度良く外部の照明環境を検知することができなくなる場合がある。その結果、適確な映像信号補正処理を実行することができず、視聴者にとって見やすい映像を表示することができなくなる。
【０００７】
本発明は、かかる実情に鑑みてなされたものであり、カラーセンサ等の検知装置を用いて外部照明環境を検知しなくても、リモコン装置により遠隔制御される照明装置の照明色や光量に対応して、視聴者にとって見やすい映像を表示する映像表示装置を提供することを目的とする。
【課題を解決するための手段】
【０００８】
第１の技術手段は、入力される映像信号に対して、映像信号補正処理を実行する映像信号補正部と、調色機能を備えた照明装置に送信されるリモコン装置からの調色制御信号を受信する受信部と、当該調色制御信号と入力される前記映像信号に対して映像信号補正処理を実行する際に参照される映像信号補正値とを対応付けて記録する映像信号補正用テーブルを備え、前記映像信号補正部は、前記映像信号補正用テーブルを参照して前記受信部が受信した調色制御信号に対応する映像信号補正値を特定し、当該特定した映像信号補正値に基づき入力される映像信号に対して映像信号補正処理を実行することを特徴とする映像表示装置である。
【０００９】
第２の技術手段は、第１の技術手段の映像表示装置において、前記映像表示装置は、液晶パネルと、当該液晶パネルを照明するバックライトと、バックライト照明光の色相及び明るさを可変制御するバックライト制御部と、調色制御信号及び調光制御信号とバックライト照明光の色相及び明るさを補正する際に参照されるバックライト補正値とを対応付けて記録するバックライト補正用テーブルを備え、前記受信部は、調色機能及び調光機能を備えた照明装置に送信されるリモコン装置からの調色制御信号及び調光制御信号を受信し、前記バックライト制御部は、前記バックライト補正用テーブルを参照して前記受信部が受信した調色制御信号及び調光制御信号に対応するバックライト補正値を特定し、当該特定したバックライト補正値に基づきバックライト照明光の色相及び明るさを可変制御することを特徴とするものである。
【００１０】
第３の技術手段は、第１の技術手段の映像表示装置において、前記映像表示装置は、更に、外部装置が提供する映像信号補正用テーブルを取得するテーブル取得部と、前記映像表示装置に既に記録されている映像信号補正用テーブルを前記テーブル取得部が取得した映像信号補正用テーブルに更新するテーブル更新部を備えたことを特徴とするものである。
【００１１】
第４の技術手段は、第２の技術手段の映像表示装置において、前記映像表示装置は、更に、外部装置が提供するバックライト補正用テーブルを取得するテーブル取得部と、前記映像表示装置に既に記録されているバックライト補正用テーブルを前記テーブル取得部が取得したバックライト補正用テーブルに更新するテーブル更新部を備えたことを特徴とするものである。
【発明の効果】
【００１２】
本発明の映像表示装置によれば、外部照明環境を検知するカラーセンサ等の検知装置を用いなくても、リモコン装置により遠隔制御される照明装置の照明色や光量に対応して、視聴者にとって最も見やすい映像を表示できる。また、カラーセンサ等の検知装置を用いないので、回路構成が単純になり、製品価格の上昇を抑制できる。
【図面の簡単な説明】
【００１３】
【図１】映像表示装置、照明装置、リモコン装置を示す図である。
【図２】実施例１で説明する映像表示装置、照明装置、リモコン装置の機能ブロック図である。
【図３】リモコン装置の外観の一例を示す図である。
【図４】映像信号補正用テーブルの一例を示す図である。
【図５】実施例２で説明する映像表示装置の機能ブロック図である。
【図６】バックライト補正用テーブルの一例を示す図である。
【図７】実施例３で説明する映像表示装置の機能ブロック図である。
【図８】映像信号補正用テーブルの他の例を示す図である。
【発明を実施するための形態】
【００１４】
（実施例１）
図１は、本発明に係る映像表示装置１、映像表示装置１の周囲を照明する照明装置２、照明装置２を遠隔制御するリモコン装置３を示す図である。
【００１５】
映像表示装置１は、照明装置の照明色に対応して、入力される映像信号に対して映像信号補正処理を実行する。
照明装置２は、ＬＥＤ電球により照明を行い、このＬＥＤ電球を調色する機能及び調光する機能を備えている。以下の説明では、照明装置２は、ＬＥＤ電球を調色する機能及び調光する機能を備えているものとして説明する。
【００１６】
リモコン装置３は、照明装置２に調色制御信号及び調光制御信号を送信し、照明装置２の遠隔制御を行う。以下の説明では、リモコン装置３は、照明装置２に調色制御信号及び調光制御信号を送信するものとして説明する。
【００１７】
映像表示装置１は、リモコン装置３が送信する調色制御信号に対応する映像信号補正値を特定し、この映像信号補正値に基づき、入力される映像信号に対して映像信号補正処理を実行する。なお、詳細については後述する。
【００１８】
図２は、映像表示装置１、照明装置２、リモコン装置３の機能ブロック図である。
まず、リモコン装置３の機能ブロック図について説明する。
リモコン装置３は、操作部３１、制御信号生成部３２、制御信号送信部３３、制御部３４を備える。
【００１９】
操作部３１は、照明装置２を遠隔操作するボタンから構成される。図３は、操作部３１の外観の一例を示す図である。
操作部３１のボタンとしては、照明装置２の電源“切”、“入”ボタン３１１、照明装置２の調色制御ボタン３１２、照明装置２の調光制御ボタン３１３がある。
【００２０】
この調色制御とは、例えば、照明装置２のＬＥＤ電球を昼白色、電球色等に変化させる制御を意味するが、後述するように、これに限定するものではない。
【００２１】
リモコン装置３の“入”ボタン３１１を操作すると、前回動作時に照明装置２に設定されていた調色状態、調光状態を反映した照明制御が照明装置２において実行される。
【００２２】
調色制御ボタン３１２の昼白色ボタン３１２ａが操作されると、照明装置２のＬＥＤ電球は昼白色に調色される。電球色ボタン３１２ｂが操作されると、照明装置２のＬＥＤ電球は電球色に調色される。中間色ボタン３１２ｃが操作されると、照明装置２のＬＥＤ電球は昼白色と電球色の中間色に調色される。
【００２３】
調光制御ボタン３１３の全灯ボタン３１３ａが操作されると、照明装置２のＬＥＤ電球は所定の明るさに調光される。微灯ボタン３１３ｂが操作されると、照明装置２のＬＥＤ電球は所定の暗さに調光される。半灯ボタン３１３ｃが操作されると、照明装置２のＬＥＤ電球は、前記所定の明るさと前記所定の暗さの中間の明るさに調光される。
【００２４】
図２の制御信号生成部３２は、操作部３１におけるボタン操作に対応する制御信号を生成する。例えば、ユーザが調色制御ボタン３１２の昼白色ボタン３１２ａを操作すると、制御信号生成部３２は、ＬＥＤ電球を昼白色に調色する調色制御信号（“昼白色”調色制御信号）を生成する。同じく、ユーザの電球色ボタン３１２ｂ操作、中間色ボタン３１２ｃ操作に対応して、“電球色”調色制御信号、“中間色”調色制御信号を生成する。
【００２５】
また、ユーザが調光制御ボタン３１３の全灯ボタン３１３ａを操作すると、制御信号生成部３２は、ＬＥＤ電球を所定の明るさに調光する調光制御信号（“全灯”調光制御信号）を生成する。同じく、ユーザの微灯ボタン３１３ｂ操作、半灯ボタン３１３ｃ操作に対応して、“微灯”調光制御信号、“半灯”調光制御信号を生成する。
【００２６】
制御信号送信部３３は、制御信号生成部３２が生成した制御信号を照明装置２及び映像表示装置１に送信する。なお、送信手段としては、赤外線や無線を使用することができる。
制御部３４は、各機能ブロックを制御する。
【００２７】
次に、照明装置２の機能ブロックについて説明する。
照明装置２は、ＬＥＤ電球２１、制御信号受信部２２、制御部２３を備える。
ＬＥＤ電球２１は、調光及び調色可能なＬＥＤ電球である。
【００２８】
制御信号受信部２２は、リモコン装置３が送信した制御信号を受信し、制御部２３に出力する。
制御部２３は、制御信号受信部２２が受信した制御信号に基づきＬＥＤ電球２１の調色及び調光を制御する。
前述の例では、ＬＥＤ電球２１を昼白色に調色する制御信号（“昼白色”調色制御信号）を受信した場合、制御部２３は、ＬＥＤ電球２１を昼白色に調色制御する。また、ＬＥＤ電球２１を所定の明るさにする制御信号（“全灯”調光制御信号）を受信した場合、制御部２３は、ＬＥＤ電球２１を所定の明るさにするように調光制御する。
【００２９】
次に、映像表示装置１の機能ブロックについて説明する。
映像表示装置１は、映像信号入力Ｉ／Ｆ１１、映像信号処理部１２、表示部１３、制御信号受信部１４、制御部１５、テーブル記録部１６を備える。
映像信号入力Ｉ／Ｆ１１は、映像信号を映像表示装置１に入力するインターフェイスとして機能し、例えば、放送受信チューナー、コンポジットケーブル端子、Ｄ端子ケーブル端子、ＨＤＭＩケーブル端子等から構成される。映像信号入力Ｉ／Ｆ１１は、入力される映像信号を映像信号処理部１２に出力する。
【００３０】
映像信号処理部１２は、入力される映像信号に対して各種映像処理を施すＩＣや、表示部１３を駆動するタイミングコントロール信号を生成するＩＣを備え、入力される映像信号を表示部１３に出力する。また、映像信号処理部１２は、映像信号補正部１２ａを備える。なお、映像信号補正部１２ａの詳細については、後述する。
【００３１】
表示部１３は、液晶パネル、電界放出ディスプレイ（FED：Field Emission Display）等の表示パネルから構成され、映像信号処理部１２が出力した映像信号に基づき映像表示処理を実行する。
【００３２】
制御信号受信部１４は、リモコン装置３が送信する制御信号を受信し、制御部１５に出力する。なお、映像表示装置１の遠隔制御を行うリモコン装置（図示しない）が送信する制御信号も受信する。
【００３３】
制御部１５は、マイコン等から構成され、制御信号受信部１４が出力する制御信号をデコードし、このデコードした制御信号に基づき、各機能ブロックを制御する。また、制御信号受信部１４が受信した制御信号が、リモコン装置３が送信した調色制御信号の場合には、この調色制御信号を映像信号処理部１２に出力する。
【００３４】
テーブル記録部１６は、ＲＯＭ等から構成され、調色制御信号と入力される映像信号に対して映像信号補正処理を実行する際に参照される映像信号補正値とを対応付けて記録する映像信号補正用テーブル１０１を記録する。この映像信号補正用テーブルは、ＬＵＴテーブルとして構成される。
【００３５】
図４は、映像信号補正用テーブル１０１の一例を示す図である。
映像信号補正用テーブル１０１は、制御信号欄１０１ａ、映像信号補正値欄１０１ｂを有する。制御信号欄１０１ａには、調色制御信号が記録されている。調色制御信号としては、“昼白色”、“中間色”、“電球色”調色制御信号がある。
【００３６】
映像信号補正値欄１０１ｂには、制御信号欄１０１ａに記録された調色制御信号と対応付けて各種映像信号補正値が記録されている。
映像信号補正値としては、“色温度”、“色相”、“色濃度”、“ガンマ”、“黒レベル”、“明るさ”補正用の各種映像信号補正値が記録されている。
【００３７】
前述したように、映像信号処理部１２が、制御部１５が出力した調色制御信号を受信すると、映像信号補正部１２ａは、テーブル記録部１６に記録されている映像信号補正用テーブル１０１を参照して、この調色制御信号に対応する映像信号補正値を特定し、特定した映像信号補正値に基づき入力される映像信号に対して映像信号補正処理を実行する。
【００３８】
以下に、本発明の映像信号補正処理について詳細に説明する。
例えば、ユーザが、リモコン装置３の電球色ボタン３１２ｂ（図３参照）を操作すると、制御信号生成部３２は、“電球色”調色制御信号を生成し、制御信号送信部３３に出力する。制御信号送信部３３は、制御信号生成部３２が出力した“電球色”調色制御信号を、照明装置２、映像表示装置１に送信する。
【００３９】
照明装置２の制御信号受信部２２は、リモコン装置３が送信した“電球色”調色制御信号を受信し、制御部２３に出力する。制御部２３は、制御信号受信部２２が出力した“電球色”調色制御信号を受信し、この“電球色”調色制御信号に基づき、ＬＥＤ電球２１を電球色に調色制御する。
【００４０】
同時に、映像表示装置１の制御信号受信部１４は、リモコン装置３が送信した“電球色”調色制御信号を受信し、制御部１５に出力する。制御部１５は、制御信号受信部２２が出力した“電球色”調色制御信号を受信し、映像信号処理部１２に出力する。
【００４１】
映像信号処理部１２が、制御部１５が出力した“電球色”調色制御信号を受信すると、映像信号補正部１２ａは、映像信号補正用テーブル１０１を参照して、“電球色”調色制御信号に対応する映像信号補正値を特定する。前述の例では、“色温度”、“色相”、“色濃度”、“ガンマ”、“黒レベル”、“明るさ”の映像信号補正値として、“Ｔ３”、“Ｈ３”、“Ｄ３”、“γ３”、“ＢＬ３”、“ＢＲ３”を特定する。
【００４２】
そして、映像信号補正部１２ａは、特定した映像信号補正値に基づき、映像信号処理部１２に入力される映像信号に対して映像信号補正処理を実行する。前述の例では、入力される映像信号に関する“色温度”、“色相”、“色濃度”、“ガンマ”、“黒レベル”、“明るさ”の各数値を、特定した映像信号補正値“Ｔ３”、“Ｈ３”、“Ｄ３”、“γ３”、“ＢＬ３”、“ＢＲ３”に変更することにより映像信号補正処理を実行する。なお、補正値の内容によっては、現在の“色温度”等に、特定した映像信号補正値を乗算する等の計算処理を施し、映像信号補正処理を実行してもよい。
【００４３】
映像信号処理部１２は、映像信号補正部１２ａが補正した映像信号を表示部１３に出力する。
【００４４】
なお、前述の例では、特定した全映像信号補正値について映像信号補正処理を実行したが、特定した映像信号補正値の中から何れかの映像信号補正値を選択してこの選択した映像信号補正値に基づき映像信号補正処理を実行してもよい。例えば、“色温度”、“色相”についてのみ映像信号補正処理を実行してもよい。
【００４５】
実施例１では、照明装置２は、調色機能及び調光機能を備えていたが、調色機能のみを備えていればよい。この場合、リモコン装置３も、調色制御信号を送信することになる。
【００４６】
このようにすることで、カラーセンサ等の検知装置を用いることなく、外部照明環境に応じて映像信号補正処理を行うことができるので、回路構成が単純になり、製品価格の上昇を抑制できる。また、カラーセンサ等の検知装置を用いないので、例えば、影がカラーセンサを覆うことによる外部照明環境の誤検知が発生せず、適確な映像信号補正処理を行うことができる。
【００４７】
（実施例２）
実施例１で説明した映像表示装置１の表示部１３として、例えば、液晶パネル及びこの液晶パネルを照明するバックライトを備えた液晶表示装置を利用する場合に実行するバックライトの照明制御処理について説明する。なお、映像信号補正処理については、後述する。
【００４８】
図５は、このようなバックライトの照明制御処理を実行する映像表示装置４の機能ブロック図である。
映像表示装置４は、映像信号入力Ｉ／Ｆ４１、映像信号処理部４２、電極駆動制御部４３、液晶パネル４４、バックライト制御部４５、バックライト４６、制御信号受信部４７、制御部４８、テーブル記録部４９を備える。なお、映像信号入力Ｉ／Ｆ４１、制御信号受信部４７の機能は、図２で示した映像表示装置１の映像信号入力Ｉ／Ｆ１１、制御信号受信部１４の機能と同様なのでその説明を省略する。
【００４９】
映像信号処理部４２は、入力される映像信号に対して各種画像処理を施すＩＣや、電極駆動制御部４３、バックライト制御部４５を駆動するタイミングコントロール信号を生成するＩＣを備え、入力される映像信号を電極駆動制御部４３、バックライト制御部４５に出力する。また、実施例１で説明した映像信号補正部１２ａと同様の機能を有する映像信号補正部４２ａを備える。
【００５０】
電極駆動制御部４３は、映像信号処理部４２が出力した映像信号に基づき液晶パネル４４の走査電極及びデータ電極を駆動する。液晶パネル４４は、液晶層とこの液晶層に走査信号及びデータ信号を印加する電極とを有するアクティブマトリクス型の液晶パネルである。
【００５１】
バックライト制御部４５は、映像信号処理部１２が出力した映像信号に係る映像フレームの平均輝度値を算出し、算出した平均輝度値に基づき、バックライト４６の発光素子の発光制御を行う。具体的には、バックライト４６の照明光の色相及び明るさを可変制御する。また、バックライト制御部４５は、バックライト補正部４５ａを備える。なお、バックライト補正部４５ａの詳細については、後述する。
【００５２】
バックライト４６は、液晶パネル４４を照明するもので、発光素子として、例えば、照明装置２のＬＥＤ電球２１と同機能のＬＥＤを備える。なお、発光素子としては、ＬＥＤ電球２１と同様に、調色、調光可能であればＬＥＤ電球に限らない。
【００５３】
制御部４８は、マイコン等から構成され、制御信号受信部４７が出力する制御信号をデコードし、このデコードした制御信号に基づき、各機能ブロックを制御する。また、制御信号受信部４７が受信した制御信号が照明装置２に送信された調色制御信号、調光制御信号の場合には、これら調色制御信号、調光制御信号をバックライト制御部４５、映像信号処理部４２に出力する。
【００５４】
テーブル記録部４９は、ＲＯＭ等から構成され、調色制御信号及び調光制御信号とバックライト照明光の色相及び明るさを補正する際に参照されるバックライト補正値とを対応付けて記録するバックライト補正用テーブル１０２を記録する。このバックライト補正用テーブルは、ＬＵＴテーブルとして構成される。また、テーブル記録部４９は、図４に示した映像信号補正用テーブル１０１を記録する。
【００５５】
図６は、バックライト補正用テーブルの一例を示す図である。
バックライト補正用テーブル１０２は、制御信号欄１０２ａ、バックライト補正値欄１０２ｂを有する。
制御信号欄１０２ａには、調色制御信号及び調光制御信号が記録されている。調色制御信号としては、“昼白色”、“中間色”、“電球色”調色制御信号がある。また、調光制御信号としては、“全灯”、“半灯”、“微灯”調光制御信号がある。
【００５６】
バックライト補正値欄１０２ｂには、制御信号欄１０２ａに記録された調色制御信号及び調光制御信号と対応付けて各種バックライト補正値が記録されている。
バックライト補正値としては、“色相”、“明るさ”補正用のバックライト補正値が記録されている。
【００５７】
前述したように、バックライト制御部４５が、制御部４８が出力した調色制御信号、調光制御信号を受信すると、バックライト補正部４５ａは、テーブル記録部４９に記録されているバックライト補正用テーブル１０２を参照して、この調色制御信号、調光制御信号に対応する色相補正値及び明るさ補正値を特定し、特定した色相補正値及び明るさ補正値に基づきバックライト照明光の色相及び明るさを可変制御する。
【００５８】
以下に、本発明のバックライト照明光の補正処理について詳細に説明する。ここでは、実施例１と同様に、リモコン装置３が、“電球色”調色制御信号を送信したとする。
映像表示装置１の制御信号受信部４７は、リモコン装置３が送信した“電球色”調色制御信号を受信し、制御部４８に出力する。制御部４８は、制御信号受信部４７が出力した“電球色”調色制御信号を受信し、バックライト制御部４５、映像信号処理部４２に出力する。
【００５９】
バックライト制御部４５が、制御部４８が出力した“電球色”調色制御信号を受信すると、バックライト補正部４５ａは、バックライト補正用テーブル１０２を参照して、“電球色”調色制御信号に対応するバックライト補正値を特定する。前述の例では、“色相”バックライト補正値として、“Ｈ３”を特定する。なお、“明るさ” バックライト補正値としては、現時点で映像表示装置４に設定されている“明るさ”補正値が適用される。
【００６０】
そして、バックライト補正部４５ａは、特定したバックライト補正値に基づき、バックライト４６の発光素子の調色補正処理を実行する。前述の例では、バックライト４６の発光素子の調色補正として“色相”を“Ｈ３”に変更する。なお、補正値の内容によっては、現在の“色相”に、特定した“Ｈ３”を乗算する等の計算処理を施し、バックライト照明光の補正処理を実行してもよい。
同じく、“電球色”調色制御信号を受信した映像信号処理部４２の映像信号補正部４２ａは、実施例１で説明したように、映像信号補正用テーブル１０１を参照して入力される映像信号に対して映像信号補正処理を実行する。
【００６１】
また、バックライト制御部４５が、制御部４８が出力した“微灯”調光制御信号を受信すると、バックライト補正部４５ａは、バックライト補正用テーブル１０２を参照して、“微灯”調光制御信号に対応するバックライト補正値を特定する。このとき、バックライト補正値の“色相”については、現時点で映像表示装置４に設定されている“色相”補正値に対応する補正値とする。例えば、現時点で設定されている“色相”補正値が“電球色”に対応する補正値の場合には、“明るさ”のバックライト補正値として、現在設定されている“電球色”に対応する“ＢＲ３’’”を特定する。
【００６２】
このようにすることで、バックライト照明光の色相や明るさを、照明装置２の照明光の色相や明るさとほとんど同じにすることができる。その結果、バックライト照明光の色相や明るさと照明装置２の照明光の色相や明るさとが大きく異なることにより生じる視聴者の視力低下を防ぐことが出来る。
【００６３】
（実施例３）
実施例１、実施例２で説明した照明装置２は、調色制御として、“昼白色”、“電球色”、“中間色”の調色や、調光制御として、“全灯”、“半灯”、“微灯”（３段階）の調光が可能であった。しかし、より複雑な調色制御や調光制御が可能な照明装置が家庭内等に設けられ、この照明装置の照明環境下で、本発明に係る映像表示装置により映像を視聴することが考えられる。
【００６４】
このような照明装置の遠隔操作を行う場合、リモコン装置が送信する制御信号の種類も増える。例えば、調色制御として、“昼白色”、“電球色”、”中間色”に加え、“白色”、“昼光色”の調色制御が可能な照明装置の場合、各色に対応する調色制御信号（５種類）が必要になる。そして、このような照明装置に対応して、実施例１で説明したような映像信号補正処理を行う場合、図４に示した映像信号補正用テーブル１０１を、前記調色制御信号（５種類）に対応させる必要がある。
【００６５】
図７は、このような高機能化した照明装置に対応可能な映像表示装置を示すブロック図であり、図２で説明した映像表示装置１に、ネットワーク接続部５７、テーブル取得部５８、テーブル更新部５９を追加したものである。
【００６６】
映像表示装置５は、映像信号入力Ｉ／Ｆ５１、映像信号処理部５２、表示部５３、制御信号受信部５４、制御部５５、テーブル記録部５６、ネットワーク接続部５７、テーブル取得部５８、テーブル更新部５９を備える。なお、映像信号入力Ｉ／Ｆ５１、映像信号処理部５２、表示部５３、制御信号受信部５４、制御部５５、テーブル記録部５６は、図２で説明した映像表示装置１の映像信号入力Ｉ／Ｆ１１、映像信号処理部１２、表示部１３、制御信号受信部１４、制御部１５、テーブル記録部１６と同様なのでその説明を省略する。
【００６７】
外部装置６は、最新の調色制御信号と映像信号補正値とが対応付けられて記録された映像信号補正用テーブルを提供する。前述の例では、例えば、図８に示す映像信号補正用テーブル１０３を、例えばネットワークＮを介して提供する。
【００６８】
映像信号補正用テーブル１０３の制御信号欄１０３ａには、調色制御信号として、“昼白色”、“中間色”、”電球色”制御信号に加え、“白色”、“昼光色”制御信号が追加記録されている。そして、映像信号補正値欄１０３ｂに、追加記録された“白色”、“昼光色”制御信号等に対応付けて各種映像信号補正値が記録されている。
【００６９】
映像表示装置５のネットワーク接続部５７は、ネットワークＮに対するインターフェイス機能を提供し、外部装置６とのデータ送受信処理を実行する。
【００７０】
テーブル取得部５８は、様々なタイミングで、外部装置６が提供する映像信号補正用テーブルの取得処理を実行する。例えば、制御部５５が、デコードした調色制御信号が、テーブル記録部５６に記録されている映像信号補正用テーブルの制御信号欄に記録されていないことを検知した場合（未対応制御信号の検知）、この未対応制御信号が記録された映像信号補正用テーブルの提供を外部装置６に依頼する。
そして、この依頼に対して外部装置６が提供した映像信号補正用テーブルを取得する。
【００７１】
テーブル更新部５９は、テーブル記録部５６に既に記録されている映像信号補正用テーブルを、テーブル取得部５８が取得した最新の映像信号補正用テーブルに更新する。
【００７２】
以後、前述のように、映像信号補正部５２ａは、テーブル記録部５６に新たに記録された最新の映像信号補正用テーブルを参照して、映像信号補正処理を実行する。
【００７３】
なお、実施例２で説明した映像表示装置４に、ネットワーク接続部５７、テーブル取得部５８、テーブル更新部５９を設けてもよい。
この場合、外部装置６は、種類が増えた調色制御信号、調光制御信号に対応したバックライト補正値が記録されたバックライト補正用テーブルを映像表示装置４に提供する。
【００７４】
外部装置６は、ネットワークＮを介して映像信号補正用テーブル１０３等を提供したが、放送波に映像信号補正用テーブル１０３を重畳して映像表示装置５に提供してもよい。
【００７５】
このようにすることで、調色機能、調光機能が高性能化した照明装置の照明色、光量変化に対応して、映像信号補正処理、バックライトの照明光補正処理を実行することができる。
【００７６】
なお、自発光型の例えばプラズマディスプレイ装置（ＰＤＰ：Plasma Display Panel）などの各種表示パネルを用いた映像表示装置でも、色相や明るさ制御が可能であれば、本発明を適用できることは言うまでもない。
【符号の説明】
【００７７】
１，４，５…映像表示装置、１１，４１，５１…映像信号入力Ｉ／Ｆ、１２，４２，５２…映像信号処理部、１２ａ，４２ａ，５２ａ…映像信号補正部、１３，５３…表示部、１４，４７，５４…制御信号受信部、１５，４８，５５…制御部、１６，４９，５６…テーブル記録部、４３…電極駆動制御部、４４…液晶パネル、４５…バックライト制御部、４５ａ…バックライト補正部、４６…バックライト、２…照明装置、２１…ＬＥＤ電球、２２…制御信号受信部、２３…制御部、３…リモコン装置、３１…操作部、３２…制御信号生成部、３３…制御信号送信部、３４…制御部、５７…ネットワーク接続部、５８…テーブル取得部、５９…テーブル更新部、６…外部装置、１０１，１０３…映像信号補正用テーブル、１０１ａ，１０３ａ…制御信号欄、１０１ｂ，１０３ｂ…映像信号補正値欄、１０２…バックライト補正用テーブル、１０２ａ…制御信号欄、１０２ｂ…バックライト補正値欄、３１１…電源“切”、“入”ボタン、３１２…調色制御ボタン、３１２ａ…昼白色ボタン、３１２ｂ…電球色ボタン、３１２ｃ…中間色ボタン、３１３…調光制御ボタン、３１３ａ…全灯ボタン、３１３ｂ…微灯ボタン、３１３ｃ…半灯ボタン。
【図１】
2011150129.tif 000003
【図２】
2011150129.tif 000004
【図３】
2011150129.tif 000005
【図４】
2011150129.tif 000006
【図５】
2011150129.tif 000007
【図６】
2011150129.tif 000008
【図７】
2011150129.tif 000009
【図８】
2011150129.tif 000010